(57)【要約】【課題】  木製浴槽に効果的な滑り止めを形成し、また排水の便も良くする。【解決手段】  水平な底面と水平に対して傾斜を有する上面とを有する台座の上に、底板が該土台上面部と平行で上部端面が水平となるよう形成した木製浴槽本体を固定し、底面部には互いに交差する複数の溝と、該溝の端部と接続され底面の周囲に側面板に沿って設けられた凹部とを有し、該凹部の少なくとも一部を前記底板低位側に設けられた排水口に接続することを特徴とする。【選択図】図１
2006167393.tif 000002
【特許請求の範囲】
【請求項１】
水平な底面と水平に対して傾斜を有する上面とを有する台座の上に、底板が該台座上面部と平行で上部端面が水平となるよう形成した木製浴槽本体を固定し、底面部には互いに交差する複数の溝と、該溝の端部と接続され底面の周囲に側面板に沿って設けられた凹部とを有し、該凹部の少なくとも一部を前記底板低位側に設けられた排水口に接続することを特徴とする木製浴槽。
【請求項２】
前記溝の各々が直線状であることを特徴とする請求項１記載の木製浴槽。
【請求項３】
前記溝とは別に、浴槽内底面の一部に尖頭部を有する複数の突起を設けたことを特徴とする請求項１または２記載の木製浴槽。
【請求項４】
前記複数の突起は曲線状に盛り上がっていることを特徴とする請求項１乃至３記載の木製浴槽。
【請求項５】
前記溝部と前記突起部との境界に凹部を設け、前記浴槽底面周囲の凹部と連結したことを特徴とする請求項１乃至４記載の木製浴槽。
【発明の詳細な説明】
【技術分野】
【０００１】  本発明は、木製浴槽に関し、特に滑り止めを設けまた排水の便を良くした木製浴槽に関する。
【背景技術】
【０００２】  風呂の木製浴槽は日本においては古くから使用されてきたが、例えば実開平３−１０５３０２に開示されているように底面が平坦であったので、湯を貯めた際に滑りやすくなるという欠点があった。【０００３】  プラスチック製浴槽においては、実開平５−１１８８７に開示されているように浴槽の内底面に一定厚さの塗膜を部分的に形成したり、特願平７−８８４５５、特願平８−１９５７８５、特願２００２−３６９６１、特願２００２−３９３６７等に開示されているように、浴槽内底面に凹凸を設ける方法が知られているが、木製浴槽の場合このような凹凸を設けることは困難であるか、または高価な費用が必要となってしまう。
【発明の開示】
【発明が解決しようとする課題】
【０００４】  本発明は上記課題に鑑みてなされたものであり、効果的な滑り止めを形成し、また排水の便も良くすることを目的とする。
【課題を解決するための手段】
【０００５】  上記課題を解決するために本発明による木製浴槽は、水平な底面と水平に対して傾斜を有する上面とを有する台座の上に、底板が該台座上面部と平行で上部端面が水平となるよう形成した木製浴槽本体を固定し、底面部には互いに交差する複数の溝と、該溝の端部と接続され底面の周囲に側面板に沿って設けられた凹部とを有し、該凹部の少なくとも一部を前記底板低位側に設けられた排水口に接続することを特徴とする。浴槽底面を傾斜させることにより、排水の便を良くし、さらに浴槽底面部周囲に設けた凹部と端部がこの凹部に接続された複数の交差する溝とにより、排水の際浴槽の湯はこれらの溝に沿って最後まで完全に抜くことができる。これらの複数の溝は互いに交差してブロック状となっているので、入浴者が足を浴槽に入れた際に滑り止めとして機能する。【０００６】  前記溝の各々は直線状であることが望ましい。断面形状は三角形や四角形などデザインや要望などに応じて選択することができる。排水時の水の流れや加工の容易性を考慮すると、溝の断面形状は正方形か長方形が望ましいが、これらに限定されるわけではない。【０００７】  また、前記溝とは別に、浴槽内底面の一部に尖頭部を有する複数の突起を設けることもできる。この尖頭部を有する複数の突起を設けることにより、入浴者が足を置いたときにマッサージ効果を発揮することができる。この突起は中央部が盛り上がるように曲線上に形成すると、マッサージ効果も増大する。
【発明の効果】
【０００８】  本発明によれば、浴槽底面が傾斜しているので排水が容易となり、また、底面内部周囲の凹部とそれに接続する複数の溝を形成することによりさらに排水が促進される。互いに交差する複数の溝はまた、入浴者が足を浴槽に入れた際に滑り止めとして機能する。さらに、尖頭部を有する複数の突起を設けることにより、入浴者にマッサージ効果を与えることもできる。【０００９】  このように、本発明の浴槽によれば、古来からの木製浴槽に新しい機能を付加して、より使いやすくすることができる。
【発明を実施するための最良の形態】
【実施例】
【００１０】  以下、図面に基づいて本発明の好適な実施例を説明するが、本発明はそれらに限定されるものではない。【００１１】  図１は本発明の実施例を示す平面図である。四角形状の浴槽は上部枠２により囲まれ、底部は、側面板２１に沿って周囲に凹部１３を設けてあり、また複数の直線状溝１１を交差させて形成し、端部は周囲凹部１３に接続してある。また、浴槽底部は図４に示すように、左右端の高さを変えて形成した台座２３上に底板２２を配置することにより、底板上面は水平に対して傾斜を持って構成される。【００１２】また、底部の一部には突起部１２を形成してある。突起部は尖頭部を有する複数の突起よりなる。各突起の形状は特に限定されないが、加工の容易性を考えると、四角錐状が望ましい。四角錐状突起は断面三角形の切込みを直交的に組み合わせることにより形成できる。図２に示したように、突起部は中央が盛り上がるように曲線状に形成するとマッサージ効果がより増加される。【００１３】  前記溝１１は、底板２２表面に切り込みを入れることにより形成できる。溝の断面形状は特に限定されないが、加工の容易性を考えると、三角形または四角形が好ましい。図３は図１におけるＢ−Ｂの部分断面図であるが、溝断面形状を三角形とし、溝の最深部を底部の周囲凹部１３と同じ高さに形成してある。また、周囲凹部１３は排水口３に連結するように構成してある。このように構成することにより、浴槽の湯を排水する際に、浴槽内に湯が残ることなく、溝１１や凹部１３を通して完全に排水することができる。また、溝１１を底部一面に形成してあるため、入浴者が浴槽内に入った際に滑り止めとなる。底板２２は１枚板として形成してもよいし、細長い板片を組み合わせても良い。溝１１や周囲凹部１３は、底板を組み立てる前に形成しても良いし、底板として組み立てた後で加工してもよい。【００１４】  前記突起部と前記溝を形成した底部との間には境界凹部１４を形成することが望ましい。境界凹部は両端を周囲凹部に連結する。これにより、突起部からの排水がより効率的となる。
【産業上の利用可能性】
【００１３】  本発明は、木の香りと暖かさを楽しむことのできる木製浴槽にさらに使いやすい機能を付加したものであり、木製浴槽の再興に貢献できる。
【図面の簡単な説明】
【００１４】
【図１】本発明による実施例の浴槽の平面図である。
【図２】図１における実施例のＡ−Ａ部の部分断面図である。
【図３】図１における実施例のＢ−Ｂ部の部分断面図である。
【図４】図１における実施例の正面断面図である。
【図５】図１における実施例の側面断面図である。
【符号の説明】
１    浴槽本体
２    上部枠
３    排水口
１１  溝
１２  突起部
１３  周囲凹部
１４  境界凹部
２１  側面板
２２  底板
２３  台座
【図１】
2006167393.tif 000003
【図２】
2006167393.tif 000004
【図３】
2006167393.tif 000005
【図４】
2006167393.tif 000006
【図５】
2006167393.tif 000007